(57)【特許請求の範囲】
【請求項１】
平面から視て概ね四角形の天板の左右側辺に設ける切欠部であって、この切欠部を、このテーブル同士を積層スタッキングしたとき上方に位置するテーブルに設けた後側の脚が当該切欠部に収まるように形成すると共に、同じテーブル同士を並べて使用するとき、前記切欠部同士により配線出入れ用の穴が形成されるようにしたことを特徴とするテーブル。
【請求項２】
天板の前辺と後辺の少なくとも一方を弯曲辺に形成した請求項１のテーブル。
【請求項３】
天板の左右側辺に形成する切欠部は、略長方形又は長円形に形成した請求項１又は２のテーブル。
【発明の詳細な説明】
【０００１】
【発明の属する技術分野】
本発明は、自由なレイアウトで並べたり、その配置変えをする上で便利であるのみならず、スタッキング収納する場合にも、コンパクトな積層状態にスタッキングできるようにした一人用デスクやテーブルとして使用するテーブルに関する。
【０００２】
【従来の技術】
従来より、比較的小形の天板にキャスター付きの脚を設けた一人用のテーブルがオフィスや学校などで用いられている。このテーブルは小形で軽量ゆえに移動も一人で自在になし得、従って、打合せコーナーや会議などの態様に応じた配置レイアウトを自由に採ることができる点で重宝されている。
【０００３】
しかし、従来のこの種の小形テーブルは積層スタッキングできるという要請に応じるため、大半のものは天板の左右両側から後側の左右脚がはみ出す設計となっている。これは、天板の前側の左右脚は、当該天板の前縁辺よりも前方に位置するように積層されるが、後側の左右の脚は、下方の天板の左右側辺を跨ぐ形で積層されるため、後側の左右脚は、天板の左右幅からはみ出して設けないと、下方に位置した天板を跨ぐことができないからである。
【０００４】
ところが、後側の脚といえども左右の脚が天板側辺からはみ出していると、同じ仕様のテーブルを左右方向で隣接して並べた場合、天板の左右側辺からはみ出した脚によって相隣る天板同士が密接できず、そこに隙間が生じてしまうという見映え上の問題、或は、連接して使用する上で各天板が一連に接合されないため、各天板同士の間に形成される隙間から筆記具等が落下するなどの点で使い勝手の悪さがあった。
【０００５】
【発明が解決しようとする課題】
本発明は上記のような点に鑑み、脚を天板の左右側辺からはみ出すことなく設けることにより、並べて使用する場合に天板同士を密着した形で連接させることができ、しかも下方に位置する天板を跨いだ形態での積層スタッキング可能であり、更には、天板の下から情報線，電源線を天板の上へ導出する上でも好適な構造を具備した小形のテーブルを提供することを、その課題とするものである。
【０００６】
【課題を解決するための手段】
上記課題を解決することを目的としてなされた本発明テーブルの構成は、平面から視て概ね四角形の天板の左右側辺に設ける切欠部であって、この切欠部を、このテーブル同士を積層スタッキングしたとき上方に位置するテーブルに設けた後側の脚が当該切欠部に収まるように形成すると共に、同じテーブル同士を並べて使用するとき、前記切欠部同士により配線出入れ用の穴が形成されるようにしたことを特徴とするものである。
【０００７】
本発明テーブルは上記構成において、天板の前辺と後辺の少なくとも一方を弯曲辺に形成してもよい。また、天板の左右側辺に形成する切欠部は、略長方形又は長円形などの縦割り１／２形状にすると相隣る天板を隣接して並べたとき、両天板の間に長方形や長円形などの穴が形成されるので、この穴から天板上へ電源線や通信線を見映えよく引出すことができる。
【０００８】
本発明テーブルは、左右の前脚に幕板状をなすパネル体を設け、その裏面に補強貫材を兼ねた配線ダクトを設け、このダクトに電源コンセントや情報コンセントを設けることもできる。この場合、天板上で使用するパソコン等の端末の電源線，情報線はそのプラグを、天板側辺の切欠部を経由して前記コンセントに挿込むことにより、これらの配線のスマート処理ができる。なお、天板の下には、幕板側に折畳み出来るようにした軽便なパイプ製などの棚を配置することもある。また、４本の脚には、少なくとも前方又は後方の２本にキャスターを設け移動時の便宜を図ってもよい。
【０００９】
【発明の実施の形態】
次に本発明テーブルの実施の形態例について、図に拠り説明する。図１は本発明テーブルを横一列に並べた例の斜視図、図２は図１のテーブル積層スタッキングした状態の要部を示す側面図、図３は図１の並べたテーブルの平面図、図４は本発明デーブルの他のレイアウト例の平面図である。
【００１０】
図１，図３において、１は平面から見て略長方形で、この例では手前側の辺（図３の下方の辺）に波形の弯曲ライン1aを形成した天板であって、この天板１の左右側辺の中間部位には、縦長の長方形を縦に二分した形状の切欠部２，３が形成されている。
【００１１】
天板１の下面側には、当該天板１の前側の左右に、パイプ材などによる前脚４，５が略垂直向きに設けられると共に、この天板１の後側に関しては前記左右の切欠部２，３のすぐ後に、図示した例では浅いアーチ状に弯曲した後脚６，７が、後方へ向け斜めの角度で設けられている。これらの脚４，５、同６，７は平面から見ると、天板１の平面投影形状内に収まっており、いずれの脚４〜７も、天板１の前後，左右の側辺からはみ出していない。
【００１２】
８は前脚４，５に架設した幕板状のパネルで、その後面には、左，右の前脚４，５を結合する断面略Ｕ字状のダクト部材９が配線ダクト兼補強貫部材として設けられている。このダクト８には、所望すれば、電源コンセントや情報コンセントを配置することも可能である。
【００１３】
10は前記ダクト部材９に枢支されて水平，垂直に折畳み可能な、ここではパイプ材による棚で、使用時には水平に保持され、不用時にはパネル８と平行な垂直姿勢に折畳まれる。棚10は、パイプ材製のほか、ネット材製、板材製であってもよい。なお、上記脚４〜７において、少なくとも一側の脚４，５又は同６，７、若しくは、全脚４〜７の下端部には、図示しないがキャスタを設けることがある。以上により本発明テーブルＴの一例を形成するので、次にその使用状態について述べる。
【００１４】
上記の本発明テーブルＴは、図１，図３に例示するように、２台以上を横に並べて使用するとき、その天板１の側端からすべての脚４〜７がはみ出していないので、各天板１同士を密着状態で並べることができる。
【００１５】
このとき、各天板１における切欠部２，３は、隣の天板１の切欠部２，３と合体して一つの長方形に開口した穴Ｈを形成するから、この穴Ｈから各天板１の上において使用するパソコン等の端末ＰＣの電源線，情報線を、当該穴Ｈから取出すことが出来、見映え良好な配線処理ができる。並べたテーブル列の左右の両エンドに位置した天板１の切欠部２又は同３も、その形状によって、前記配線の出入れをスマートに処理できる。
【００１６】
一方、上記の横一列に並べられた各天板１は、その手前側を弯曲辺1aに形成しているので、各天板１の手前側の弯曲辺1aが形成するラインが緩やかに波打っているように見え、意匠的効果の面においても優れている。この点は、天板１の向う側（辺1aの反対側の辺）を弯曲させて形成した場合にも同様である。
【００１７】
本発明テーブルＴは、天板１の左右の側辺に切欠部２，３を設け、かつ、後側の脚６，７を天板１の左右側からはみ出さないように設けたので、積層スタッキングの形態に特長が現われる。即ち、図２に例示するように、一つのテーブルＴの上に、次のテーブル１の前側の脚４，５を、下のテーブルＴの前側４，５の前方側の上から覆うように載せると、載せた上のテーブルＴの後脚６，７が、下のテーブルの天板１における左，右の切欠部２，３に収まって重なり、以下、順に上のテーブルＴの後側の脚６，７は、下のテーブルＴの切欠部２，３による凹部内に収まって積層されることになるから、後側の脚６，７が天板１の左右側からはみ出して形成されていなくてもスマートにスタッキングできるのである。なお、積層スタッキングできる台数は、一番下の天板１の切欠部２，３の縦幅内に、上方に位置するテーブルＴの後脚６，７が前後方向で重なって収まる範囲である。因みに、図２では３台のテーブルＴを積層スタッキングしている。
【００１８】
図４は、天板１の向う側の辺を直線に形成した本発明テーブルＴの４台を、島状に集合した状態の平面図であるが、各天板１の前後並びに左右側から脚６，７がはみ出していないので、各天板１を隙間なく密集させて一台のテーブルによる一枚の天板状に形成でき、しかも、各天板１の接合部には夫々の切欠部２，３が合体して形成される穴Ｈが形成されているから、天板上で使用するパソコン等の端末の配線をスマートに出入れ処理できるという、本発明テーブル固有の効果が発揮される。
【００１９】
【発明の効果】
本発明は以上の通りであって、一人用のテーブルを、平面から視て概ね四角形の天板の左右側辺に切欠部を設け、このテーブルを積層スタッキングしたとき上方に位置するテーブルの後側の左右脚が前記切欠部に収まるように、後側の左右脚を設けて形成したから、後側の脚を天板の左右側辺からはみ出すことなく設けることにより、並べて使用する場合に天板同士を密着した形で連接させることができるのみならず、下方の天板を跨いで積層スタッキングすることが可能であり、しかも、天板の下から通信線，電源線を天板上へ導出する上でも前記切欠部が好適な役割を果すという、従来のこの種テーブルでは得られない格段の作用効果が得られる。
【図面の簡単な説明】
【図１】本発明テーブルを横一列に並べた例の斜視図。
【図２】図１のテーブル積層スタッキングした状態の要部を示す側面図。
【図３】図１の並べたテーブルの平面図。
【図４】本発明テーブルの他のレイアウト例の平面図。
【符号の説明】
１        天板
1a        手前側の弯曲辺
２，３    天板左右に設けた切欠部
４，５    前側の脚
６，７    後側の脚
【図１】
0003550549.tif 000002
【図２】
0003550549.tif 000003
【図３】
0003550549.tif 000004
【図４】
0003550549.tif 000005